(57)【特許請求の範囲】
【請求項１】
照射対象に光を照射する照明負荷と；
前記照射対象における照明環境設定値である第１情報を入力する入力部と；
前記第１情報に基づいて、前記照射対象に関して実現可能な照明環境実現値である第２情報を求めるとともに、前記第２情報を実現するための前記照明負荷に関する照明負荷情報である第３情報とを求める制御部と；
前記第２情報及び前記第３情報を表示する表示部と；
を具備したことを特徴とする照明システム。
【請求項２】
前記入力部は前記第２情報を変更することが可能であり、前記入力部によって前記第２情報を変更すると、前記制御部は、新たに前記第３情報を求めることを特徴とする請求項１記載の照明システム。
【請求項３】
前記第１情報は、前記照射対象において複数の照明環境設定値を含み、
前記制御部は、前記複数の照明環境設定値のうちのいずれかを優先させる設定が可能であって、
前記制御部は、前記優先度に基づいて、前記第２情報及び前記第３情報を求めることを特徴とする請求項１または２に記載の照明システム。
【請求項４】
前記入力部は、複数の照射対象を選択することが可能であり、
前記制御部は、前記複数の照射対象のうちのいずれかを優先させる設定が可能であって、
前記制御部は、前記優先度に基づいて実現可能な第２情報及び第３情報を各照射対象毎に求め、これら第２情報及び第３情報を各々表示部に表示することを特徴とする請求項１〜３のいずれか１つに記載の照明システム。
【請求項５】
前記表示部は、前記第３情報を有する表示体を表示することを特徴とする請求項１〜４のいずれか１つに記載の照明システム。
【発明の詳細な説明】
【技術分野】
【０００１】
本発明の実施形態は、照明システムに関する。
【背景技術】
【０００２】
照明器具の明るさや色を変化させることで使用者が望む照明空間を作り出す照明システムがある。照明器具の明るさや色は、調光装置によって制御されている。
【０００３】
このような照明システムにおいて、照明器具の照射面を考慮して各照明器具を調整することで所望の照明空間を作り出している。照明空間を効率的に作り出す照明システムが望まれる。
【先行技術文献】
【特許文献】
【０００４】
【特許文献１】特開２００４−１２７７２２号公報
【発明の概要】
【発明が解決しようとする課題】
【０００５】
本発明の実施形態は、照明空間を効率的に作り出す照明システムを提供する。
【課題を解決するための手段】
【０００６】
本発明の実施形態によれば、照明負荷と、入力部と、制御部と、表示部と、を具備した照明システムが提供される。前記照明負荷は、照射対象に光を照射する。前記入力部は、前記照射対象における照明環境設定値である第１情報を入力する。前記制御部は、前記第１情報に基づいて、前記照射対象に関して実現可能な照明環境実現値である第２情報を求めるとともに、前記第２情報を実現するための前記照明負荷に関する照明負荷情報である第３情報とを求める。前記表示部は、前記第２情報及び前記第３情報を表示する。
【発明の効果】
【０００７】
本発明の実施形態によれば、照明空間を効率的に作り出す照明システムを提供することができる。
【図面の簡単な説明】
【０００８】
【図１】本実施形態に係る照明システムを示す模式図である。
【図２】本実施形態に係る照明システムにおいて、照明負荷による照射対象への照射を示す図である。
【図３】図３は、本実施形態に係る照明システムの一部を示す模式図である。
【図４】本実施形態に係る照明システムの一部の別の例を示す模式図である。
【図５】本実施形態に係る照明システムの一部の別の例を示す模式図である。
【図６】本実施形態に係る照明システムの一部の別の例を示す模式図である。
【図７】本実施形態に係る照明システムの一部が有するテーブルを示す図である。
【図８】図８（ａ）〜図８（ｃ）は、本実施形態に係る照明システムの一部に表示される表示体を示す図である。
【図９】表示体の具体例を示す図である。
【図１０】図１０（ａ）〜図１０（ｃ）は、本実施形態に係る照明システムの一部に表示される表示体を示す図である。
【図１１】表示体の具体例を示す図である。
【図１２】本実施形態に係る照明システムを用いた調光方法を示す図である。
【発明を実施するための形態】
【０００９】
実施形態に係る発明は、照射対象に光を照射する照明負荷と；前記照射対象における照明環境設定値である第１情報を入力する入力部と；前記第１情報に基づいて、前記照射対象に関して実現可能な照明環境実現値である第２情報を求めるとともに、前記第２情報を実現するための前記照明負荷に関する照明負荷情報である第３情報とを求める制御部と；前記第２情報及び前記第３情報を表示する表示部と；を具備したことを特徴とする照明システムである。
この照明システムによれば、照明空間を効率的に作り出すことができる。
【００１０】
また、前記入力部は前記第２情報を変更することが可能であり、前記入力部によって前記第２情報を変更すると、前記制御部は、新たに前記第３情報を求めることを特徴とする照明システムである。
この照明システムによれば、第２情報の変更に基づいて、第３情報が変更されるので、照明空間を効率的に作り出すことができる。
【００１１】
また、前記第１情報は、前記照射対象において複数の照明環境設定値を含み、前記制御部は、前記複数の照明環境設定値のうちのいずれかを優先させる設定が可能であって、前記制御部は、前記優先度に基づいて、前記第２情報及び前記第３情報を求めることを特徴とする照明システムである。
この照明システムによれば、照射対象における照明環境設定値の優先度に基づいて、第２情報及び第３情報を求めることができるので、照明空間を効率的に作り出すことができる。
【００１２】
また、前記入力部は、複数の照射対象を選択することが可能であり、前記制御部は、前記複数の照射対象のうちのいずれかを優先させる設定が可能であって、前記制御部は、前記優先度に基づいて実現可能な第２情報及び第３情報を各照射対象毎に求め、これら第２情報及び第３情報を各々表示部に表示することを特徴とする照明システムである。
この照明システムによれば、照射対象の優先度に基づいて第２情報及び第３情報を求めることができるので、照明空間を効率的に作り出すことができる。
【００１３】
また、前記表示部は、前記第３情報を有する表示体を表示することを特徴とする照明システムである。
この照明システムによれば、第３情報を有する表示体が表示部に表示されるので、照明負荷の状態に応じて必要な情報を正確に把握することができる。これにより、照明空間を効率的に作り出すことができる。
【００１４】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【００１５】
（本実施形態）  
図１は、本実施形態に係る照明システムを示す模式図である。  
図２は、本実施形態に係る照明システムにおいて、照明負荷による照射対象への照射を示す図である。
図１において、照明システム１００のブロック図が示されている。図２において、照明負荷３０が照射している状態が示されている。
【００１６】
図１に表すように、照明システム１００は、調光装置１０と、制御装置２０と、照明負荷３０ａ、３０ｂ、３０ｃ（以下、照明負荷３０ａ、３０ｂ、３０ｃを総称して照明負荷３０と呼ぶ場合がある。）と、を備える。調光装置１０は、制御装置２０と有線又は無線で電気的に接続されている。制御装置２０は、照明負荷３０と有線又は無線で電気的に接続されている。例えば、本実施形態の照明システム１００は、ホール又は劇場等の屋内照明に使用される。本実施形態の照明システム１００を家庭用の照明に用いても良い。
【００１７】
調光装置１０は、例えば、調光操作卓である。調光装置１０は、入力部１１と、表示部１２と、制御部１３と、送信部１４と、を備える。例えば、調光装置１０は、図示しないＣＰＵ（Central Processing Unit）及びメモリ等を備える。
【００１８】
調光装置１０は、照明負荷３０の光属性を調整する。光属性は、照度（明るさ）及び光色を含む。また、照明負荷３０の光を調整することで照明負荷３０の照度及び光色が調整される。照明負荷３０の光を調整することで照明負荷３０の調光が行われる。照明負荷３０の照射方向が調光装置１０によって調整されても良い。
【００１９】
入力部１１は、例えば、キーボード及びマウス等である。また、入力部１１には、各種のフェーダおよびスイッチが備えられても良い。入力部１１は、表示部１２と一体化され、例えば、液晶ディスプレイの画面上のタッチパネルでも良い。移動通信機器によって入力部１１への入力が行われても良い。
【００２０】
使用者は、入力部１１を介して照射対象ににおける照明環境設定値（第１情報）を入力する。照射対象は、被照射面や被照射空間である。照明環境設定値は、例えば、照明空間に対する照射対象の位置、照射対象の照度、照射対象の色温度、及び、照射対象の光色である。例えば、照射対象の照度は、ルクス単位で数値化されて表される。照射対象の色温度は、ケルビン単位で数値化されて表される。照射対象の光色は、単色、又は、ＲＧＢ等の３原色等によって表される。照明環境設定値は、照射対象の演色性を含んでも良い。
【００２１】
また、使用者は、入力部１１を介して、照明空間に関する情報（例えば、照明空間の模式図等）を入力しても良い。使用者が入力部１１に入力した情報は、制御部１３に送られる。
【００２２】
表示部１２は、例えば、ＬＣＤ(Liquid Crystal Display)等のディスプレイである。表示部１２は、制御部１３によって算出された制御情報（第２情報及び第３情報）を表示する。表示部１２による情報の表示例は、後に詳細に説明する。
【００２３】
制御部１３は、入力部１１に入力された情報に基づいて、照射対象に関して実現可能な照明環境実現値（第２情報）を算出する。照明環境実現値は、例えば、照明空間に対する照射対象の位置、照射対象の照度、照射対象の色温度、及び、照射対象の光色である。
【００２４】
また、制御部１３は、入力部１１に入力された情報に基づいて、照明環境実現値を実現するための照明負荷３０に関する照明負荷情報（第３情報）を求める。例えば、制御部１３は、入力部１１に入力された情報に基づいて、照射対象を照射するために使用する照明負荷３０の数を算出する。また、制御部１３は、入力部１１に入力された情報に基づいて、使用する照明負荷３０の各々についての照度、光色、及び照射方向等に関する数値を算出する。例えば、算出された数値は、照明負荷３０の調光出力レベルである調光率（％）として表される。
つまり、制御部１３は、入力部１１に入力された情報に基づいて、照射条件として、照明環境実現値及び照明負荷情報を含む制御情報を算出する。
【００２５】
例えば、制御部１３は、入力部１１に入力された情報と、照射対象の照度及び照明負荷３０の出力の関係についてのデータと、を比較して制御情報を算出する。照射対象の照度及び照明負荷３０の出力の関係についてのデータは、照明空間に対する照射対象の位置、及び、照明負荷３０の仕様等に基づいて得ることができる。このようなデータは、テーブルとして予め設定されており、メモリに格納されている。制御部１３は、入力部１１に入力された情報と、照明負荷３０の各々の照度分布図と、を用いて制御情報を算出しても良い。制御部１３によって算出された制御情報は、送信部１４に送られる。
【００２６】
送信部１４は、制御部１３から送られた制御情報に基づいて制御信号を生成し、制御装置２０に制御信号を送信する。制御信号は、例えば、ＤＭＸ（Digital Multiplex）信号等である。例えば、使用者が表示部１２に表示された制御情報を確認後、送信部１４は、制御部１３から送られた制御情報に基づいて制御信号を生成することができる。
【００２７】
制御装置２０は、例えば、調光制御盤である。制御装置２０は、調光装置１０から送信された制御信号に基づいて、照明負荷３０に供給する調光信号を生成する。調光信号は、照明負荷３０ａ、３０ｂ、３０ｃの調光率に応じて定められたデューティ比の異なるＰＷＭ（Pulse Width Modulation）信号である。制御装置２０から照明負荷３０に調光信号を送信することで照明負荷３０の光属性が調整される。また、制御装置２０は、調光装置１０から送信された制御信号に基づいて、照明負荷３０の照射方向を制御する方向制御信号を生成して照明負荷３０に送信しても良い。
【００２８】
制御装置２０には、調光装置１０から送信された制御信号に基づいて照明負荷３０に電力を供給する電源部が設けられても良い。このような場合、電源部は、照明負荷３０ａ、３０ｂ、３０ｃを点灯させる電力を有し、制御信号に応じて変調した電力を照明負荷３０ａ、３０ｂ、３０ｃに供給して制御を行う。また、制御信号は、調光装置１０から照明負荷３０に直接送信されても良い。
【００２９】
照明負荷３０は、例えば、ＬＥＤ（Light Emitting Diode）等の照明器具である。制御装置２０から送られた調光信号によって照明負荷３０の光属性が調整される。照明負荷３０の数は任意であり、照明空間や照射対象に基づいて決定することができる。照明負荷３０の数は、１つ又は２つでも良く、４つ以上でも良い。
【００３０】
制御装置２０から送られた調光信号によって照明負荷３０の光属性が調整された後、照明負荷３０は、照射空間内の照射対象を照射する。例えば、図２に表すように、照明空間４０内の照射対象４０Ｒは、照明負荷３０ｂからの光Ｌによって照射されている。
【００３１】
以下、表示部１２による情報の表示例を説明する。
【００３２】
図３は、本実施形態に係る照明システムの一部を示す模式図である。
図４は、本実施形態に係る照明システムの一部の別の例を示す模式図である。
図５は、本実施形態に係る照明システムの一部の別の例を示す模式図である。
図６は、本実施形態に係る照明システムの一部の別の例を示す模式図である。
図３〜図６において、制御部１３からの制御情報が表示部１２に表示されている。例えば、使用者が入力部１１の入力操作を実行することで、図３〜図６に表されるような、領域１２Ｒ１及び領域１２Ｒ２を有する画面が表示部１２に表示される。
【００３３】
図３に表すように、領域１２Ｒ１は、実際の照明空間４０に対応して表示される照明空間４０ａと、実際の照射対象４０Ｒに対応して表示される照射対象４０Ｒ１と、を有する領域である。照明空間４０ａ及び照射対象４０Ｒ１は、実際の照明空間４０及び照射対象４０Ｒをそれぞれ縮小させて表示部１２に表示されている。
【００３４】
照射対象４０Ｒ１には、制御部１３からの制御情報に基づいて実際に照射された場合の状態（照射イメージ）が表示される。このような照明空間４０ａ及び照射対象４０Ｒ１を領域１２Ｒ１に表示させることで、使用者は、実際の照明空間４０及び照射対象４０Ｒを視覚的に把握することができる。
【００３５】
また、領域１２Ｒ１は、照射対象４０Ｒの照度が表示される領域１２ａと、照射対象４０Ｒの色温度が表示される領域１２ｂと、を有する領域である。例えば、領域１２ａには、照度値（ｌｘ）が表示される。領域１２ｂには、色温度（Ｋ）が表示される。図３において、７００ｌｘが領域１２ａに表示され、３０００Ｋが領域１２ｂに表示されている。このような領域１２ａ及び領域１２ｂが領域１２Ｒ１に含まれることで、使用者は、照射対象４０Ｒの照度及び色温度を容易に把握することができる。
なお、領域１２Ｒ１に表示される情報は、第２情報に相当する。
【００３６】
領域１２Ｒ２には、表示体５０が表示されている。表示体５０は、文字、記号及び図形等の少なくとも１つを用いて処理内容や対象を簡略的に表示するものである。表示体５０は、例えば、アイコンである。表示体５０の大きさは、入力部１１の入力操作によって変化する。例えば、表示体５０の大きさは、画面上の表示体５０をクリックすることで拡大変化又は縮小変化する。図３において、表示体５０は、照明負荷３０を区別するための番号が表される部分（表示体５０の上側部分）と、照明負荷３０の調光率（％）が表される部分（表示体５０の下側部分）と、を有する。照明負荷３０を区別するための番号は、チャンネルでも良い。
【００３７】
また、３つの表示体５０において、照明負荷３０を区別するための番号が表される上側部分に、１、２、３が表示され、照明負荷３０の調光率（％）が表される下側部分に、０、５０、０が表示されている。照明負荷３０ａ、３０ｂ、３０ｃは、番号１、２、３にそれぞれ対応する。また、照明負荷３０ａ、３０ｂ、３０ｃは、調光率０％、５０％、０％をそれぞれ有する。このような表示体５０が領域１２Ｒ２に表示されることで、使用者は、照明負荷３０及びその調光率を容易に把握することができる。
なお、領域１２Ｒ２に表示される情報は、第３情報に相当する。
【００３８】
照明負荷３０を区別するための番号、及び、照明負荷３０の調光率（％）は、表示体５０の表示内容の一例である。表示体５０の表示内容の具体例は、後に詳細に説明する。
【００３９】
図３において、７００ｌｘの照度と、３０００Ｋの色温度と、を有する照射対象４０Ｒを形成するためには、５０％の調光率を用いた照明負荷３０ｂからの光Ｌが、照射対象４０Ｒに照射される。つまり、制御部１３は、入力部１１に入力された情報に基づいて、表示部１２に表示されるような結果（制御情報）を算出する。
【００４０】
制御部１３の算出結果は、制御信号を介して制御装置２０に送られ、制御装置２０から送られた調光信号によって照明負荷３０の光属性は調整される。光属性の調整後、照明負荷３０から照射対象４０Ｒに光が照射される。例えば、図２に表すように、照明負荷３０ｂからの光Ｌは、照射対象４０Ｒに照射される。
【００４１】
入力部１１に入力された情報（照明環境設定値）に優先度が制御部１３によって設定されている場合、制御情報（照明環境実現値及び照明負荷情報）は、優先度に基づいて制御部１３によって求められ、表示部１２に表示される。
【００４２】
例えば、領域１２ａに表示する照度と、領域１２ｂに表示する色温度と、に優先度を付けることができる。使用者は、照度及び色温度のいずれかを優先するかについて選択できる。入力部１１の入力操作によって照度及び色温度の優先順位（優先度）が決定される。使用者の選択後、制御部１３は、照度及び色温度の優先順位に基づいて、実現可能な照度及び色温度の数値を算出する。制御部１３によって算出された数値は、表示部１２の領域１２ａ及び領域１２ｂに照度及び色温度として表示される。また、制御部１３によって算出された数値に基づいて、表示部１２の領域１２Ｒ１の照射対象４０Ｒ１に実際に照射された場合の状態が表示される。また、制御部１３は、照射対象４０Ｒに照射する照明負荷３０及びその調光率を算出し、算出値が表示部１２の領域１２Ｒ２に表示される。
【００４３】
例えば、入力部１１の入力操作によって、照明環境設定値として、照度８００ｌｘ、及び、色温度４０００Ｋが入力されたとする。照度の優先度が色温度の優先度より高く設定している場合、図４に表すように、制御部１３は、照度及び色温度の優先順位に基づいて、実現可能な照度として８００ｌｘを算出し、実現可能な色温度として３８００Ｋを算出する。図４に表すように、算出された数値は、表示部１２に表示される。また、制御部１３によって算出された数値に基づいて、表示部１２の領域１２Ｒ１の照射対象４０Ｒ１に実際に照射された場合の状態が表示される。また、制御部１３は、照射対象４０Ｒに照射する照明負荷３０ｂ、及び、照明負荷３０ｂの調光率６０％を算出し、算出値が表示部１２の領域１２Ｒ２に表示される。
【００４４】
制御情報（照明環境実現値及び照明負荷情報）は変更することができる。照明環境実現値が入力部１１によって変更されると、照明負荷情報は、制御部１３によって新たに求められ、表示部１２に表示される。
【００４５】
例えば、使用者が表示部１２に表示された結果を確認後、入力部１１の入力操作によって、領域１２ａに表示された照射対象４０Ｒの照度値を変えることができる。照射対象４０Ｒの照度値を変えることで、領域１２Ｒ１に表示された照射対象４０Ｒ１の照射状態は変化する。つまり、照射対象４０Ｒの照度値を変えることで、照射対象４０Ｒの照射状態は変化する。また、照射対象４０Ｒの照度値を変えることで、領域１２Ｒ２に表示された表示体５０の内容は変化する。例えば、照射対象４０Ｒの照度値を変えることで、領域１２Ｒ２に表示された表示体５０の調光率は変化する。これにより、使用者が表示部１２に表示された照射対象４０Ｒ１の照射状態を確認後、照射対象４０Ｒの照度値を微調整することができる。
【００４６】
例えば、使用者は、表示部１２に表示された図３の表示結果を確認後、領域１２ａに表示された照射対象４０Ｒの照度値を１０００ｌｘに変更することができる。このような場合、入力部１１の入力操作によって、照度１０００ｌｘが入力された後、制御部１３は、実現可能な照度として１０００ｌｘを算出する。図５に表すように、算出された数値は、表示部１２に表示される。
【００４７】
また、照射対象４０Ｒの照度値が７００ｌｘから１０００ｌｘに変更されているので、照射対象４０Ｒの照射状態は変化する。さらに、照射対象４０Ｒの照度値が７００ｌｘから１０００ｌｘに変更されているので、照明負荷３０ｂに対応する表示体５０に表示される調光率が５０％から７０％に変化する。つまり、制御部１３は、照射対象４０Ｒの照度値の変更に基づいて、照明負荷３０の調光率を新たに算出する。
【００４８】
図６に表すように、表示部１２には、複数の照射対象が表示されることができる。例えば、使用者は、入力部１１の入力操作によって、照明空間４０ａの内、照射対象４０Ｒ２、４０Ｒ３を選択し、照射対象４０Ｒ２、４０Ｒ３について照度及び色温度の数値を入力する。各数値の入力後、制御部１３は、照射対象４０Ｒ２、４０Ｒ３について実現可能な照度及び色温度の数値を算出する。制御部１３によって算出された数値は、表示部１２に照度及び色温度として表示される。また、制御部１３によって算出された数値に基づいて、照射対象４０Ｒ２、４０Ｒ３に実際に照射された場合の状態が表示部１２に表示される。また、制御部１３は、照射対象４０Ｒ２、４０Ｒ３に照射する照明負荷３０及びその調光率を算出し、算出値が表示部１２に表示される。
【００４９】
図６に表すように、選択された照射対象４０Ｒ２、４０Ｒ３は、表示部１２の領域１２Ｒ１に表示される。また、領域１２ａ１に照射対象４０Ｒ２の照度値１０００ｌｘ、領域１２ｂ１に照射対象４０Ｒ２の色温度４５００Ｋが表示される。領域１２ａ２に照射対象４０Ｒ３の照度値７００ｌｘ、領域１２ｂ２に照射対象４０Ｒ３の色温度３０００Ｋが表示される。
【００５０】
このような場合、１０００ｌｘの照度と、４５００Ｋの色温度と、を有する照射対象４０Ｒ２を形成するためには、５０％の調光率を用いた照明負荷３０ａ、３０ｂからの光Ｌが、照射対象４０Ｒ２に照射される。７００ｌｘの照度と、３０００Ｋの色温度と、を有する照射対象４０Ｒ３を形成するためには、５０％の調光率を用いた照明負荷３０ｃからの光Ｌが、照射対象４０Ｒ３に照射される。
【００５１】
複数の照射対象４０Ｒ２、４０Ｒ３に優先度を付けても良い。照射対象４０Ｒ２、４０Ｒ３のうちのいずれかを優先させる設定が制御部１３によって行われる。照射対象４０Ｒ２、４０Ｒ３の優先順位に基づいて、実現可能な照度及び色温度の数値が制御部１３によって照射対象毎に算出され、表示部１２に表示される。また、照射対象４０Ｒ２、４０Ｒ３の優先順位に基づいて、照射対象４０Ｒ２、４０Ｒ３に照射する照明負荷３０及びその調光率が制御部１３によって算出され、表示部１２に表示される。また、表示部１２に実際に照射された場合の状態が照射対象毎に表示される。
【００５２】
例えば、照射対象４０Ｒ２の優先度が照射対象４０Ｒ３の優先度より高い場合、制御部１３は、照射対象４０Ｒ２を優先して制御情報を算出することができる。制御部１３は、照射対象４０Ｒ２を優先して、実現可能な照度及び色温度の数値と、照明負荷３０及びその調光率と、を照射対象毎に算出することができる。このような場合、照射対象４０Ｒ２に対して照明負荷３０が優先的に振り分けられる。
【００５３】
以下、表示体５０の表示内容の具体例を説明する。
【００５４】
図７は、本実施形態に係る照明システムの一部が有するテーブルを示す図である。
図８（ａ）〜図８（ｃ）は、本実施形態に係る照明システムの一部に表示される表示体を示す図である。
図９は、表示体の具体例を示す図である。
図１０（ａ）〜図１０（ｃ）は、本実施形態に係る照明システムの一部に表示される表示体を示す図である。
図１１は、表示体の具体例を示す図である。
【００５５】
図７に表すように、表示体５０の表示内容を決定するためのテーブル５１は、メモリ等に格納されている。表示体５０に含まれる情報は、入力部１１からの情報、及び、制御部１３からの制御情報に基づいて決定される。また、表示部１２は、表示体５０の表示情報をテーブル５１を用いて決定する。例えば、表示体５０に含まれる情報の内、表示体５０の表示情報がテーブル５１によって決定される。調光装置１０には、表示体５０の表示情報を決定する決定部が別に設けられても良い。
【００５６】
表示体５０の大きさと、照明負荷３０の状態と、に基づいて、表示体５０の表示情報がテーブル５１によって変化する。表示体５０は、表示サイズと、照明負荷３０の配置状態における設定、又は、照明負荷３０の照射状態における設定と、に合わせて表示情報を変える。照明負荷３０の配置状態における設定とは、照明負荷３０が配置される場合の設定（配置時の設定）を意味する。照明負荷３０の照射状態における設定とは、照明負荷３０が照射される場合の設定（仕込時の設定、明かり設定）を意味する。
【００５７】
テーブル５１の縦軸は、仕込時において表示する情報を示している。テーブル５１の縦軸に示された数値は、仕込時で表示される表示体５０の大きさの比率を示している。表示体５０の大きさの比率が、７、６、４と小さくなるにつれて表示体５０の大きさが小さくなる。表示体５０の大きさの比率の代わりに、表示体５０の寸法（ピクセル）、又は、表示体５０の大きさ（例えば、大、中、小）が表示されても良い。
【００５８】
テーブル５１の縦軸に示された高低は、仕込時において表示する情報の優先度の高低を示している。テーブル５１の上側に向かうにつれて、仕込時において表示する情報の優先度は、高くなる。
【００５９】
テーブル５１の横軸は、配置時において表示する情報を示している。テーブル５１の横軸に示された数値は、配置時で表示される表示体５０の大きさの比率を示している。表示体５０の大きさの比率が、７、６、４と小さくなるにつれて表示体５０の大きさが小さくなる。
【００６０】
テーブル５１の横軸に示された高低は、配置時において表示する情報の優先度の高低を示している。テーブル５１の右側に向かうにつれて、配置時において表示する情報の優先度は、高くなる。
【００６１】
テーブル５１に示された表示体５０が表示する情報は、調光レベル、光色、機能状態、定格出力、器具種別、ゴボ、名称、メーカー、型名、カラー・非カラー、器具ＩＤ（identification）及びＤＭＸアドレスである。これらの情報は、テーブル５１内の特定の位置に配置されている。テーブル５１において、縦軸及び横軸が４つの部分でそれぞれ区切られている。テーブル５１は、１６個の部分で区切られている。
【００６２】
調光レベル、光色、機能状態は、テーブル５１内の第１部分５１ａに配置されている。定格出力は、テーブル５１内の第２部分５１ｂに配置されている。器具種別は、テーブル５１内の第３部分５１ｃに配置されている。ゴボは、テーブル５１内の第４部分５１ｄに配置されている。名称は、テーブル５１内の第５部分５１ｅに配置されている。メーカーは、テーブル５１内の第６部分５１ｆに配置されている。型名は、テーブル５１内の第７部分５１ｇに配置されている。カラー・非カラー、器具ＩＤ及びＤＭＸアドレスは、テーブル５１内の第８部分５１ｈに配置されている。
【００６３】
調光レベルは、照明負荷３０の調光率（％）によって表される。光色は、照明負荷３０の光色であって、例えば、単色、又は、ＲＧＢ等の３原色等によって表される。また、光色は、文字又は色の少なくともいずれかを用いて表される。機能状態は、照明負荷３０の機能状態によって表される。定格出力は、照明負荷３０の定格出力（Ｖ）によって表される。器具種別は、照明負荷３０の名称又は形状によって表される。
【００６４】
ゴボは、照明負荷３０に用いられる種板の名称又は形状によって表される。名称は、使用者によって決められた照明負荷３０の名称、又は、照明負荷３０の型名によって表される。メーカーは、照明負荷３０のメーカー名によって表される。型名は、照明負荷３０の型名によって表される。
【００６５】
カラー・非カラーは、照明負荷３０の単色、又は、ＲＧＢ等の３原色等によって表される。また、カラー・非カラーは、文字、図形又は色の少なくともいずれかを用いて表される。器具ＩＤは、照明負荷３０のＩＤによって表される。ＤＭＸアドレスは、照明負荷３０のＤＭＸアドレスによって表される。
【００６６】
テーブル５１を区切る数は、使用者によって決めることができる。例えば、縦軸及び横軸が５つの部分でそれぞれ区切られることで、テーブル５１が２５個の部分で区切られていても良い。区切られた部分に配置する情報の内容及び数は、使用者によって決めることができる。
【００６７】
図８（ａ）〜図８（ｃ）において、テーブル５１に基づいて、配置時に表示体５０が表示する情報が示されている。図８（ａ）は、テーブル５１における表示体５０の大きさの比率が７である場合、表示体５０の表示情報を示している。図８（ｂ）は、テーブル５１における表示体５０の大きさの比率が６である場合、表示体５０の表示情報を示している。図８（ｃ）は、テーブル５１における表示体５０の大きさの比率が４である場合、表示体５０の表示情報を示している。
【００６８】
テーブル５１における表示体５０の大きさの比率が７である場合、表示体５０は、テーブル５１内の第２部分５１ｂ、第３部分５１ｃ、第５部分５１ｅ、第７部分５１ｇ及び第８部分５１ｈに配置された情報を表示することができる。テーブル５１における表示体５０の大きさの比率が６である場合、表示体５０は、テーブル５１内の第３部分５１ｃ、第５部分５１ｅ、及び第８部分５１ｈに配置された情報を表示することができる。テーブル５１における表示体５０の大きさの比率が４である場合、表示体５０は、テーブル５１内の第３部分５１ｃ及び第８部分５１ｈに配置された情報を表示することができる。また、テーブル５１に配置された情報の全てが、表示体５０に表示されなくても良い。
【００６９】
図８（ａ）〜図８（ｃ）の表示体５０を比較すると、図８（ａ）の表示体５０の大きさが大きく、図８（ｃ）の表示体５０の大きさが小さい。これにより、図８（ａ）の表示体５０の表示情報が多く、図８（ｃ）の表示体５０の表示情報は少ない。また、テーブル５１の横軸に示された優先度は、右方向に移動するにつれて高くなる。これにより、図８（ｃ）の表示体５０の表示情報の優先度は、図８（ａ）の表示体５０の表示情報の優先度より高い。
【００７０】
図８（ａ）は、表示体５０に、型名、名称、器具種別、カラー・非カラー、器具ＩＤ、及びＤＭＸアドレスの計６つのデータが表示されている。図８（ｂ）は、名称、器具種別、カラー・非カラー、器具ＩＤ、及びＤＭＸアドレスの計５つのデータが表示されている。図８（ｃ）は、器具種別、カラー・非カラー、器具ＩＤ、及びＤＭＸアドレスの計４つのデータが表示されている。例えば、図９に表すように、これらのデータは、表示体５０に表示される。なお、図９の表示体５０は、図８（ａ）の表示体５０に対応する。
【００７１】
図１０（ａ）〜図１０（ｃ）において、テーブル５１に基づいて、仕込時に表示体５０が表示する情報が示されている。図１０（ａ）は、テーブル５１における表示体５０の大きさの比率が７である場合、表示体５０の表示情報を示している。図１０（ｂ）は、テーブル５１における表示体５０の大きさの比率が６である場合、表示体５０の表示情報を示している。図１０（ｃ）は、テーブル５１における表示体５０の大きさの比率が４である場合、表示体５０の表示情報を示している。
【００７２】
テーブル５１における表示体５０の大きさの比率が７である場合、表示体５０は、テーブル５１内の第１部分５１ａ〜第５部分５１ｅに配置された情報を表示することができる。テーブル５１における表示体５０の大きさの比率が６である場合、表示体５０は、テーブル５１内の第１部分５１ａ〜第３部分５１ｃに配置された情報を表示することができる。テーブル５１における表示体５０の大きさの比率が４である場合、表示体５０は、テーブル５１内の第１部分５１ａ及び第２部分５１ｂに配置された情報を表示することができる。
【００７３】
図１０（ａ）〜図１０（ｃ）の表示体５０を比較すると、図１０（ａ）の表示体５０の大きさが大きく、図１０（ｃ）の表示体５０の大きさが小さい。これにより、図１０（ａ）の表示体５０の表示情報が多く、図１０（ｃ）の表示体５０の表示情報は少ない。また、テーブル５１の縦軸に示された優先度は、上方向に移動するにつれて高くなる。これにより、図１０（ｃ）の表示体５０の表示情報の優先度は、図１０（ａ）の表示体５０の表示情報の優先度より高い。
【００７４】
図１０（ａ）は、表示体５０に、名称、器具種別、調光レベル、光色、及び機能状態の計５つのデータが表示されている。図１０（ｂ）は、器具種別、調光レベル、光色、及び機能状態の計４つのデータが表示されている。図１０（ｃ）は、調光レベル、光色、及び機能状態の計３つのデータが表示されている。例えば、図１１に表すように、これらのデータは、表示体５０に表示される。なお、図１１の表示体５０は、図１０（ａ）の表示体５０に対応する。
【００７５】
図７〜図１１に表すように、表示部１２上の表示体５０の大きさが変化し、表示体５０の表示情報がテーブル５１に基づいて変化することで、使用者は、照明負荷３０の状態に応じて必要な情報を正確に把握することができる。例えば、表示体５０が、照明負荷３０の配置状態における設定において優先度の高いカラー・非カラーを表示し、照明負荷３０の照射状態における設定において優先度の高い調光レベルを表示する。
【００７６】
ここで、照明システムにおいて、照明器具の明るさや色は、調光装置によって制御され、照射面を考慮して各照明器具を調整することで所望の照明空間を作り出している。また、使用者が照明空間の完成状態を想像する、あるいは、使用者が実地で照明器具の明かりを確認することで、照明器具の各々について調光レベル等の各種パラメータが調節されている。このようなパラメータを調整する作業は、手間がかかり煩雑である。
【００７７】
本実施形態の照明システム１００では、入力部１１からの情報、及び、制御部１３からの制御情報に基づいて、照射対象４０Ｒ及び照明負荷３０に関する照射情報が表示部１２に表示される。このような照射情報を表示部１２に表示させることで、使用者は、照明空間４０及び照射対象４０Ｒを視覚的に把握することができる。また、使用者は、照射対象４０Ｒの照度及び色温度を容易に把握することができる。これにより、使用者は、照明空間４０の全体の状態を容易に把握することができる。
【００７８】
また、照明負荷３０に関する照射情報が表示体５０として表示部１２に表示され、表示体５０の大きさが変化し、表示体５０の表示内容がテーブル５１に基づいて変化する。これにより、使用者は、照明負荷３０の状態に応じて必要な情報を正確に把握することができる。
【００７９】
本実施形態によれば、照明空間を効率的に作り出す照明システムが提供される。
【００８０】
図１２は、本実施形態に係る照明システムを用いた調光方法を示す図である。
【００８１】
照射対象４０Ｒに関する情報を入力する（ステップＳ１１０）。照射対象４０Ｒに関する情報は、入力部１１を介して照明環境設定値として入力される。例えば、照射対象４０Ｒに関する情報は、照明空間４０に対する照射対象４０Ｒの位置、照射対象４０Ｒの照度、照射対象４０Ｒの色温度、及び、照射対象４０Ｒの光色である。使用者が入力部１１に入力した情報は、制御部１３に送られる。
【００８２】
照射対象４０Ｒに関する情報に基づいて、制御情報を算出する（ステップＳ１２０）。制御情報は、制御部１３によって照明環境実現値及び照明負荷情報として算出される。例えば、制御部１３は、入力部１１に入力された情報に基づいて、実現可能な照射対象４０Ｒの照度及び色温度を算出する。例えば、制御部１３は、照射対象４０Ｒを照射するために使用する照明負荷３０の数を算出する。また、制御部１３は、入力部１１に入力された情報に基づいて、使用する照明負荷３０の各々についての照度、光色、及び照射方向等に関する数値を算出する。
【００８３】
制御情報を表示部１２に表示する（ステップＳ１３０）。例えば、実際の照明空間４０に対応して表示される照明空間４０ａと、実際の照射対象４０Ｒに対応して表示される照射対象４０Ｒ１と、を有する領域が表示部１２に表示される。また、照射対象４０Ｒの照度が表示される領域１２ａと、照射対象４０Ｒの色温度が表示される領域１２ｂと、を有する領域が表示部１２に表示される。また、照明負荷３０に関係した表示体５０が表示部１２に表示される。表示体５０の大きさは変化し、表示体５０の表示情報がテーブル５１に基づいて変化する。
【００８４】
照明負荷３０の制御情報に基づいて制御信号を生成して送信する（ステップＳ１４０）。表示部１２に表示された表示内容を確認後、送信部１４は、制御部１３から送られた制御情報に基づいて制御信号を生成し、制御装置２０に制御信号を送信する。
【００８５】
制御装置２０は、制御信号に基づいて調光信号を生成し、照明負荷３０に送信する（ステップＳ１５０）。
【００８６】
前述した実施形態の機能を実現するように前述した実施形態の構成を動作させるプログラム（例えば、図１２の処理を実行するプログラム）を記憶媒体に記憶させ、記憶媒体に記憶されたプログラムをコードとして読み出し、コンピュータにおいて実行する処理方法も上述の実施形態の範疇に含まれる。コンピュータ読み取り記録媒体は、本実施形態の範囲に含まれる。前述のコンピュータプログラムが記憶された記憶媒体は、そのコンピュータプログラム自体も上述の実施形態に含まれる。
【００８７】
記録媒体として、例えば、フロッピー（登録商標）ディスク、ハードディスク、光ディスク、光磁気ディスク、ＣＤ−ＲＯＭ、磁気テープ、不揮発性メモリカード、ＲＯＭ等を用いることができる。
【００８８】
前述の記録媒体に記憶されたプログラム単体で処理を実行しているものに限らず、他のソフトウェア、拡張ボードの機能と共同して、ＯＳ上で動作し前述の実施形態の動作を実行するものも前述した実施形態の範疇に含まれる。
【００８９】
本実施形態によれば、照明空間を効率的に作り出す照明システムが提供される。
【００９０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。また、前述の各実施形態は、相互に組み合わせて実施することができる。
【符号の説明】
【００９１】
１０…調光装置、  １１…入力部、  １２…表示部、  １２ａ、１２ａ１、１２ａ２、１２ｂ、１２ｂ１、１２ｂ２、１２Ｒ１、１２Ｒ２…領域、  １３…制御部、  １４…送信部、  ２０…制御装置、  ３０、３０ａ、３０ｂ、３０ｃ…照明負荷、  ４０、４０ａ…照明空間、  ４０Ｒ、４０Ｒ１、４０Ｒ２、４０Ｒ３…照射対象、  ５０…表示体、  ５１…テーブル、  ５１ａ〜５１ｈ…第１部分〜第８部分、  １００…照明システム、  Ｌ…光
【図１】
0006292074.tif 000002
【図２】
0006292074.tif 000003
【図３】
0006292074.tif 000004
【図４】
0006292074.tif 000005
【図５】
0006292074.tif 000006
【図６】
0006292074.tif 000007
【図７】
0006292074.tif 000008
【図８】
0006292074.tif 000009
【図９】
0006292074.tif 000010
【図１０】
0006292074.tif 000011
【図１１】
0006292074.tif 000012
【図１２】
0006292074.tif 000013